(57)【要約】【課題】人を検知するセンサを備えるセンサユニットとして、より汎用性の高い製品を提供する。【解決手段】住宅において検知範囲内に存在する人を検知する人感センサ２と、人感センサ２からの検知信号を受信すると制御信号を出力するコントローラ３と、が同一のケーシング内に収容されている。また、コントローラのモードは、住宅の居住者が外出している期間において制御信号を受信したときに検知範囲内に人が存在することを知らせる動作を行う機器に向けて制御信号を出力する防犯モード、居住者が在宅の期間において制御信号を受信したときに人感センサ２の検知状況に関する情報を外部者に連絡する動作を行う機器に向けて制御信号を出力する見守りモード、及び、制御信号を受信したときに宅内の照明装置１３の運転状態を切り替える動作を行う機器に向けて制御信号を出力する遠隔制御モードの間で切り替え可能である。【選択図】図４
2015127860.tif 000002
【特許請求の範囲】
【請求項１】
建物内に設定された検知範囲内に存在する人を検知すると信号を出力するセンサと、
該センサからの前記信号を受信すると制御信号を生成して出力するコントローラと、
前記センサ及び前記コントローラの双方を収容する筐体と、を備え、
前記コントローラのモードは、
前記建物の利用者が前記建物内に居ない期間において、前記制御信号を受信したときに前記検知範囲内に人が存在することを知らせる報知動作を行う機器に向けて、前記制御信号を出力する第１出力モード、
前記利用者が前記建物内に居る期間において、前記制御信号を受信したときに前記センサの検知状況に関する情報を前記利用者とは異なる外部者に連絡する連絡動作を行う機器に向けて、前記制御信号を出力する第２出力モード、及び、
前記制御信号を受信したときに前記建物内の室内環境を調整する装置の運転状態を切り替える切り替え動作を行う機器に向けて、前記制御信号を出力する第３出力モードのうち、少なくとも２つのモードの間で切り替え可能であることを特徴するセンサユニット。
【請求項２】
前記コントローラのモードは、前記第１出力モード、前記第２出力モード及び前記第３出力モードの３つのモードの間で切り替え可能であり、
前記筐体には、前記コントローラのモードを切り替える際に前記利用者によって操作される操作部が取り付けられており、
該操作部は、前記利用者によって操作された際に切り替え信号を出力し、
前記コントローラは、前記切り替え信号を受信すると、前記３つのモード中、受信した前記切り替え信号に対応するモードを採用することを特徴とする請求項１に記載のセンサユニット。
【請求項３】
前記報知動作として警報を発する動作を行う警報発生機器と、
設定されている前記コントローラのモードを報知するモード報知機器と、を更に備え、
前記警報音発生装置は、前記筐体内に前記双方とともに収容されており、
前記モード報知機器は、前記筐体内に前記双方とともに収容されており、または前記筐体に取り付けられていることを特徴とする請求項１又は２に記載のセンサユニット。
【請求項４】
電線及びＬＡＮケーブルのうちの少なくとも一方が接続される配線機器を収容するボックスが前記建物内の壁に埋め込まれているときに、前記双方を収容した前記筐体が前記ボックス内に収容されていることを特徴とする請求項１乃至３のいずれか一項に記載のセンサユニット。
【請求項５】
前記少なくとも２つのモードには前記第３出力モードが含まれ、
前記コントローラのモードが前記第３出力モードとなったとき、前記コントローラは、前記制御信号を受信したときに前記建物内の照明装置及び前記建物用の空調装置のうちの少なくとも一方の装置に向けて前記運転状態を切り替えるための信号を出力する動作を前記切り替え動作として行う制御機器に向けて、前記制御信号を出力することを特徴とする請求項１乃至４のいずれか一項に記載のセンサユニット。
【請求項６】
前記コントローラのモードは、前記第１出力モード、前記第２出力モード及び前記第３出力モードの３つのモードの間で切り替え可能であり、
前記コントローラは、前記第２出力モード及び前記第３出力モードを同時に採用することが可能であることを特徴とする請求項１乃至５のいずれか一項に記載のセンサユニット。
【発明の詳細な説明】
【技術分野】
【０００１】
本発明は、センサユニットに係り、特に、人感センサ等、建物内に設定された検知範囲内に存在する人を検知するセンサを含むセンサユニットに関する。
【背景技術】
【０００２】
人感センサ等、建物内に設定された検知範囲内に存在する人を検知するセンサは、既に周知である。また、上記センサを搭載したセンサユニットについても周知であり、その一例としては、特許文献１に記載の照明器具用のユニットが挙げられる。特許文献１に記載の照明器具は、白熱灯と、人感センサ及び制御部を備えるセンサユニットと、から構成されている。そして、上記のセンサユニットの制御部は、人感センサの検知結果に基づいて白熱灯の点灯状態を制御する。また、センサユニットには、白熱灯とは点灯特性が異なるフラッシュランプが備えられており、その点灯状態については、人感センサの検知結果に基づいて制御部によって制御されることとなっている。
【０００３】
一方、人感センサのように建物内において人を検知するセンサについては、その用途が多岐に亘り、例えば、特許文献１に示すように照明制御用として用いたり、特許文献２に示すように不審者侵入監視用として用いたり、あるいは、特許文献３に示すように建物内にその利用者が居るかどうかの確認用として用いたりする。
【先行技術文献】
【特許文献】
【０００４】
【特許文献１】特開２００６−８６０３５号公報
【特許文献２】特開２００６−３２３７５５号公報
【特許文献３】国際公開第２００７／０７２５９４号
【発明の概要】
【発明が解決しようとする課題】
【０００５】
前述したように、建物内において人を検知するセンサを備えるセンサユニットの中には、特許文献１に開示されたもののように、上記のセンサの検知結果に基づいて制御信号を出力する制御部を備えているものもある。かかる類のセンサユニットについては、より優れた汎用性が要求され、具体的に説明すると、特許文献１から３に示した上記センサの多岐に亘る用途の各々に対応可能であることが求められている。
【０００６】
また、制御信号を出力する制御部（コントローラ）や、制御信号の出力先となる機器（具体的には、制御信号を受信して所定の動作を行う機器）がセンサとは離間して設置されることになると、その分、設置スペースを広く確保し、また、取り付け作業に手間を要することとなる。
【０００７】
そこで、本発明は、上記の課題に鑑みてなされたものであり、その目的とするところは、建物内において人を検知するセンサを備えるセンサユニットとして、より汎用性の高い製品を提供することである。
また、本発明の他の目的は、センサの検知結果に基づいて制御信号を出力するコントローラ、及び、制御信号を受信して所定の動作を行う機器の双方について、設置の手間とスペースを削減することである。
【課題を解決するための手段】
【０００８】
前記課題は、本発明のセンサユニットによれば、（Ａ）建物内に設定された検知範囲内に存在する人を検知すると信号を出力するセンサと、（Ｂ）該センサからの前記信号を受信すると制御信号を生成して出力するコントローラと、（Ｃ）前記センサ及び前記コントローラの双方を収容する筐体と、を備え、（Ｄ）前記コントローラのモードは、（ｄ１）前記建物の利用者が前記建物内に居ない期間において、前記制御信号を受信したときに前記検知範囲内に人が存在することを知らせる報知動作を行う機器に向けて、前記制御信号を出力する第１出力モード、（ｄ２）前記利用者が前記建物内に居る期間において、前記制御信号を受信したときに前記センサの検知状況に関する情報を前記利用者とは異なる外部者に連絡する連絡動作を行う機器に向けて、前記制御信号を出力する第２出力モード、及び、（ｄ３）前記制御信号を受信したときに前記建物内の室内環境を調整する装置の運転状態を切り替える切り替え動作を行う機器に向けて、前記制御信号を出力する第３出力モードのうち、少なくとも２つのモードの間で切り替え可能であることにより解決される。
【０００９】
本発明のセンサユニットは、上述した構成（Ａ）、（Ｂ）、（Ｃ）、（Ｄ）、（ｄ１）、（ｄ２）及び（ｄ３）を備えていることにより、より優れた汎用性を備えるようになる。具体的に説明すると、センサユニットは、建物内において人を検知するセンサと、センサの検知結果に基づいて制御信号を出力するコントローラと、を構成要素として備え、さらに、コントローラから出力される制御信号の出力先に関するモードが切り替え自在となっている。これにより、センサユニットは、その利用目的に応じてモードを切り替えることにより、複数の利用目的に対応可能となり、優れた汎用性を示すようになる。また、センサとコントローラとは同一筐体内に収容されているので、これらを別々に配置する必要がなく、その分、設置作業の手間と設置スペースを削減することが可能となる。
【００１０】
また、上記の構成において、前記コントローラのモードは、前記第１出力モード、前記第２出力モード及び前記第３出力モードの３つのモードの間で切り替え可能であり、前記筐体には、前記コントローラのモードを切り替える際に前記利用者によって操作される操作部が取り付けられており、該操作部は、前記利用者によって操作された際に切り替え信号を出力し、前記コントローラは、前記切り替え信号を受信すると、前記３つのモード中、受信した前記切り替え信号に対応するモードを採用すると、好適である。
上記の構成では、センサユニットのユーザである建物の利用者が行う操作を受け付けると、コントローラが、当該操作の内容に応じてモードを切り替える。これにより、より使い勝手のよいセンサユニットが実現されることとなる。
【００１１】
また、上記の構成において、前記報知動作として警報を発する動作を行う警報発生機器と、設定されている前記コントローラのモードを報知するモード報知機器と、を更に備え前記警報音発生装置は、前記筐体内に前記双方とともに収容されており、前記モード報知機器は、前記筐体内に前記双方とともに収容されており、または前記筐体に取り付けられていると、より好適である。
上記の構成では、現在設定されているコントローラのモードがモード報知機器により報知されるので、ユーザである建物の利用者は、現在設定のモードを正確に把握することが可能となる。また、制御信号の受信機器の一つである警報発生機器、及び、上記のモード報知機器がセンサユニットとして一体化されているので、設置作業の手間と設置スペースをより一層削減することが可能となる。
【００１２】
また、上記の構成において、電線及びＬＡＮケーブルのうちの少なくとも一方が接続される配線機器を収容するボックスが前記建物内の壁に埋め込まれているときに、前記双方を収容した前記筐体が前記ボックス内に収容されていると、さらに好適である。
上記の構成では、汎用的な配線機器用の収容ボックスに収めればよいので、センサユニットの設置作業として特別な作業を要することなく、その分、作業の手間が軽減されることとなる。
【００１３】
また、上記の構成において、前記少なくとも２つのモードには前記第３出力モードが含まれ、前記コントローラのモードが前記第３出力モードとなったとき、前記コントローラは、前記制御信号を受信したときに前記建物内の照明装置及び前記建物用の空調装置のうちの少なくとも一方の装置に向けて前記運転状態を切り替えるための信号を出力する動作を前記切り替え動作として行う制御機器に向けて、前記制御信号を出力すると、尚一層好適である。
上記の構成では、センサユニットが、照明装置及び／若しくは空調装置の運転状態を制御する制御機器と協働することにより、より高度な機器制御（例えば、建物内の機器の遠隔自動制御）を実現することが可能となる。
【００１４】
また、前記コントローラのモードは、前記第１出力モード、前記第２出力モード及び前記第３出力モードの３つのモードの間で切り替え可能であり、前記コントローラは、前記第２出力モード及び前記第３出力モードを同時に採用することが可能であると、益々好適である。
上記の構成では、センサの検知状況に関する情報を外部者に連絡するためのモード（すなわち、第２出力モード）と、建物内の室内環境を調整する装置の運転状態を切り替えるためのモード（すなわち、第３出力モード）と、を同時に採用する。これにより、ユーザである建物の利用者にとっての利便性が向上することになる。
【発明の効果】
【００１５】
本発明のセンサユニットによれば、建物内において人を検知するセンサの検知結果に基づいてコントローラが制御信号を出力する際の出力先に関するモードが切り替え可能である。したがって、センサユニットは、その利用目的に応じてモードを切り替えることで複数の利用目的に対応可能となり、優れた汎用性を示すようになる。
また、センサ、コントローラ、及びコントローラから出力される制御信号を受信する機器等が同一筐体内に収容されているので、これらを別々に配置する必要がなく、その分、設置作業の手間と設置スペースを削減することが可能となる。
建物内において人を検知するセンサを備えるセンサユニットとして、より汎用性の高い製品を提供することである。
さらに、本発明のセンサユニットは、汎用的な配線機器用の収容ボックスに収めることで所定位置に配置されることになり、センサユニットの設置作業として特別な作業を要することなく、その分、作業の手間が軽減されることとなる。
以上の効果により、本発明のセンサユニットは、ユーザである建物の利用者にとって使い勝手がよく、また、設置作業やメンテナンスの面でも取り扱い易い製品となっている。
【図面の簡単な説明】
【００１６】
【図１】本発明の一実施形態に係るセンサユニットの使用状況を示す図である。
【図２】本発明の一実施形態に係るセンサユニットを含む通信システムの概念図である。
【図３】本発明の一実施形態に係るセンサユニットの構成を示す図である。
【図４】本発明の一実施形態に係るセンサユニットを含む通信システムの機器構成を示すブロック図である。
【図５】防犯モード設定時の流れを示す図である。
【図６】見守りモード設定時の流れを示す図である。
【図７】遠隔制御モード設定時の流れを示す図である。
【発明を実施するための形態】
【００１７】
以下、本発明の一実施形態（以下、本実施形態）について、図面を参照しながら説明する。なお、以降では、建物の一例として住宅を例に挙げて説明することとする。ただし、あくまでも住宅は建物の一例に過ぎず、本発明は、他の建物、例えば商業ビル、工場内の建屋、店舗等においても利用可能なものである。
【００１８】
なお、以下の説明において、「制御信号」とは、その出力先である機器に所定の処理（制御信号に応じた内容の処理）を実行させるための電気的信号やデータのことである。
【００１９】
（センサユニットの概要）
先ず、本実施形態に係るセンサユニット１について、その概要を説明する。
本実施形態に係るセンサユニット１は、センサとしての人感センサ２を内蔵しており、住宅内の所定箇所、具体的には住宅内の壁に埋め込まれた状態で使用される。そして、センサユニット１に内蔵された人感センサ２は、図１に示すように、住宅内に設定された検知範囲Ｒ（具体的には、センサユニット１の前方エリア）内に人が存在したときに、当該人を検知する。図１は、本実施形態に係るセンサユニット１の使用状況を示す図である。
【００２０】
また、センサユニット１は、図２に示すように、インターネットや宅内ＬＡＮを介してサーバと通信可能となっている。図２は、本実施形態に係るセンサユニット１を含む通信システムＳの概念図である。より具体的に説明すると、センサユニット１は、後述するコントローラ３を内蔵しており、このコントローラ３が人感センサ２の検知結果に基づいて制御信号を生成し、メールサーバ１０やホームサーバ１４に向けて制御信号を出力することとなっている。制御信号を受信したメールサーバ１０やホームサーバ１４は、制御信号を解析し、その解析結果に応じた動作（データ処理）を実行する。
【００２１】
なお、図示の都合により図２ではセンサユニット１が１個のみ図示されているが、住宅内に複数のセンサユニット１が設けられていることとしてもよい。
【００２２】
そして、本実施形態に係るセンサユニット１は、優れた汎用性を示し、複数の用途に対応可能となっている。ここで、本実施形態に係るセンサユニット１の用途について説明すると、主なものとして「防犯」、「見守り」及び「宅内機器の自動制御」の３つが挙げられる。以下、各用途について概説する。
【００２３】
「防犯」とは、建物の利用者である居住者が宅内に居ない期間（外出期間）において宅内に不審者が侵入するのを監視することである。より具体的に説明すると、外出期間中に人感センサ２がその検知範囲Ｒ内で人を検知すると、センサユニット１（厳密には、ユニット内蔵のコントローラ３）が宅内に設けられた警報発生装置に向けて制御信号を出力する。警報発生信号は、制御信号を受信すると、警報を発し、不審者の侵入を近隣住民に対して報知する。
【００２４】
本実施形態では、外出期間中に人感センサ２がその検知範囲Ｒ内で人を検知したときには、また、センサユニット１が制御信号の一例であるメールデータを生成する。そして、センサユニット１は、宅内ルータ１５を経由してインターネット上のメールサーバ１０にアクセスし、上記のメールデータをメールサーバ１０に向けて出力（送信）する。メールサーバ１０は、かかるメールデータを受信すると、同データを解析してメールの配信先を特定する。ここで、メールデータが示す文面は、不審者の侵入を知らせる内容となっている。そして、メールサーバ１０は、上記の文面内容となったメール、すなわち不審者の侵入を知らせるメール（以下、通報メール）を、特定したメールアドレス宛てに配信するようになる。なお、通報メールの配信先については、特に限定されるものではないが、図１では居住者が保有するスマートフォンや携帯電話等の情報端末１１に設定されている。
【００２５】
「見守り」とは、居住者が住宅内に居る期間（在宅期間）において居住者、特に独居生活をしている者の生存／安否状態を確認することである。より具体的には説明すると、在宅期間において人感センサ２が一定期間検知範囲Ｒ内で人を検知しないとき、センサユニット１（厳密には、ユニット内蔵のコントローラ３）が、制御信号の一例であるメールデータを生成する。そして、センサユニット１は、宅内ルータ１５を経由してインターネット上のメールサーバ１０にアクセスし、上記のメールデータをメールサーバ１０に出力（送信）する。メールサーバ１０は、かかるメールデータを受信すると、同データを解析してメールの配信先を特定する。ここで、メールデータが示す文面は、居住者に異常が生じたことを知らせる内容となっている。そして、メールサーバ１０は、上記の文面内容となったメール、すなわち居住者の異常を連絡するメール（以下、連絡メール）を特定したメールアドレス宛てに配信するようになる。なお、連絡メールの配信先については、居住者とは異なる外部者、具体的には、居住者とは異なる場所に居住している居住者の親族、セキュリティ会社若しくは介護支援会社等が保有する情報端末１２に設定されている。
【００２６】
また、本実施形態では、「見守り」の一環として、センサユニット１が人感センサ２による検知履歴を記憶し、定期的に、直近の検知時刻を示すメールデータを生成してメールサーバ１０に向けて出力（送信）することとしている。メールサーバ１０は、かかるメールデータを受信すると、同データを解析してメールの配信先を特定する。ここで、メールデータが示す文面は、直近の検知時刻を示す内容となっている。そして、メールサーバ１０は、上記の文面内容となったメール、すなわち直近の検知時刻を連絡するメール（以下、第２の連絡メール）を、外部者の情報端末１２に向けて配信する。
【００２７】
「宅内機器の自動制御」とは、住宅内の部屋における居住者の有無に応じて同部屋の室内環境を調整する装置の運転状態を遠隔制御することである。ここで、部屋の室内環境とは、室内温度、室内湿度、室内の照度（明るさ）、室内で流れる音響の音量等を総称する概念であり、室内環境を調整する装置としては、例えば、上記部屋内に設置された照明装置や上記部屋用の空調装置が該当する。以下、説明を分かり易くするため、照明装置１３のみを制御対象とするケースについて説明することとする。ただし、当然ながら遠隔制御の対象に照明装置１３以外の機器、例えば、上記の空調装置が含まれることとしてもよい。
【００２８】
宅内機器の自動制御は、センサユニット１が宅内に設置された制御機器としてのホームサーバ１４にアクセスして、当該ホームサーバ１４に向けて制御信号としての遠隔制御要求を出力することで実現される。すなわち、ホームサーバ１４がセンサユニット１から遠隔制御要求を受信すると、当該要求に応じて照明装置１３のオンオフ状態を切り替える。
【００２９】
より具体的に説明すると、例えば照明装置１３がオフとなっているときに人感センサ２が検知範囲Ｒで人（居住者）を検知すると、センサユニット１がホームサーバ１４に向けて遠隔制御要求を出力し、ホームサーバ１４が当該要求に応じて照明装置１３のオンオフを切り替えるための信号（以下、スイッチ信号）を生成し照明装置１３に向けて出力する。これにより、スイッチ信号を受信した照明装置１３側では、不図示の制御回路が作動し、その結果、オフからオンへ運転状態が切り替わる。反対に、照明装置１３がオンとなっているときに、例えば居住者が部屋を退出する等して人感センサ２が検知範囲Ｒで再び人（居住者）を検知した際には、センサユニット１がホームサーバ１４に向けて遠隔制御要求を出力し、ホームサーバ１４が当該要求に応じてスイッチ信号を生成し照明装置１３に向けて出力する。この結果、照明装置１３がオンからオフへ切り替わるようになる。
【００３０】
（センサユニットの構成）
次に、本実施形態に係るセンサユニット１の構成について図３及び４を参照しながら説明する。図３は、本実施形態に係るセンサユニット１の構成を示す図であり、同図には、センサユニット１を収容するコンセントボックス２０、及び、カバープレート２５が図示されている。図４は、センサユニット１を含む通信システムＳの機器構成を示すブロック図である。
【００３１】
本実施形態に係るセンサユニット１は、図３に示す外観を呈しており、ＡＣ１００Ｖの電源電力が供給されることで作動する。このため、センサユニット１には、同図に示すように１００Ｖ用の電線が繋ぎ込まれている。また、センサユニット１の前方位置には透明若しくは半透明の材質からなるカバープレート２５が配置されており、通常時には、かかるカバープレート２５によってセンサユニット１の表面が覆われて保護されている。
【００３２】
また、センサユニット１は、図３に図示した人感センサ２、ＬＥＤランプ４、操作ボタン５、及び筐体としてのケーシング６を備えるとともに、図４に図示のコントローラ３及び警報発生装置としてのブザー７を更に備えている。以下、センサユニット１の各構成要素について説明する。
【００３３】
人感センサ２は、図３に示すように、その検知部２ａをケーシング６に設けられた開口６ｂに臨ませた状態で取り付けられている。人感センサ２は、検知部２ａの前方に設定された検知範囲Ｒ内に存在する人をカバープレート２５越しに検知し、検知信号を出力する。なお、本実施形態では、光学式の人感センサ２を用いるケースを例に挙げて説明するが、人を検知するものである限り検知方式に制限はなく、公知の装置を利用することが可能である。また、人感センサ２の検知範囲Ｒについては、固定であることとしてもよいが、例えば特開２００５−９８８２２号に開示された可変機構を利用して検知部２ａの向きを可変とすることで切り替え自在となっていてもよい。
【００３４】
コントローラ３は、人感センサ２からの出力信号を受信することで制御信号を生成し所定の出力先に出力するものである。このコントローラ３は、その内部にメモリ３ａを備えており、メモリ３ａ内には、上述したメールデータや遠隔制御要求等、制御信号を生成するための各種情報が記憶されている。また、コントローラ３は、ケーシング６に設けられたジャック６ａに繋ぎ込まれた有線ＬＡＮケーブルを通じてメールサーバ１０やホームサーバ１４と通信可能に接続されている。
【００３５】
そして、本実施形態では、コントローラ３のモードが「防犯モード」、「見守りモード」及び「遠隔制御モード」の３つのモードの間で切り替え可能となっている。「防犯モード」は、本発明の第１出力モードに相当し、居住者が住宅内に居ない外出期間に設定される。そして、コントローラ３は、「防犯モード」が設定されている間に人感センサ２から出力された検知信号を受信すると、ブザー７やメールサーバ１０に向けて制御信号を出力する。ブザー７は、制御信号を受信すると報知動作として警報（警報音）を発する動作を行う。かかる意味で、ブザー７は、制御信号を受信したときに報知動作を行う機器に相当すると言える。
【００３６】
また、メールサーバ１０は、制御信号としてのメールデータを受信すると、同データに基づいて不審者の侵入を知らせる通報メールを所定のメールアドレス宛てに配信する。このメール配信処理の実行動作は、外出期間中に人感センサ２の検知範囲Ｒ内に人が存在することを知らせる報知動作に該当する。かかる意味で、メールサーバ１０は、外出期間において制御信号を受信したときに報知動作を行う機器に相当すると言える。
【００３７】
「見守りモード」は、本発明の第２出力モードに相当し、居住者が住宅内に居る在宅期間に設定される。そして、コントローラ３は、「見守りモード」が設定されている間に一定期間以上人感センサ２から検知信号を受信しないと、制御信号の一例であるメールデータを生成し、メールサーバ１０に向けて出力（送信）する。メールサーバ１０は、当該メールデータを受信すると、同データに基づいて居住者に異常が生じたことを知らせる連絡メールを、外部者の情報端末１２に配信する。ここで、上記の連絡メールは、一定時間以上制御信号を受信していないこと、換言すると、人感センサ２が一定時間以上人を検知していないことに連動して配信されるメールである。かかる意味で、上記の連絡メールは、人感センサ２の検知状況に関する情報に該当すると言える。
【００３８】
また、「見守りモード」の設定時において、コントローラ３は、定期的に自己のメモリ３ａに記憶された人感センサ２の検知履歴を読み出し、直近の検知時刻を示すメールデータを生成してメールサーバ１０に向けて出力（送信）する。メールサーバ１０は、当該メールデータを受信すると、同データに基づいて直近の検知時刻を連絡する第２の連絡メールを、外部者の情報端末１２に配信する。ここで、第２の連絡メールは、人感センサ２が人を検知した検知時刻を示すメールであり、かかる意味で、第２の連絡メールも上記の連絡メールと同様、人感センサ２の検知状況に関する情報に該当すると言える。
【００３９】
以上のように、連絡メールや第２の連絡メールの配信処理を実行する動作は、在宅期間中に人感センサ２の検知状況に関する情報を外部者に連絡する連絡動作に該当し、かかる動作を実行するメールサーバ１０は、在宅期間において制御信号を受信したときに連絡動作を行う機器に相当すると言える。
【００４０】
「遠隔制御モード」は、本発明の第３出力モードに相当し、居住者が住宅内に居る在宅期間に設定される。そして、コントローラ３は、「遠隔制御モード」が設定されている間に人感センサ２から出力された検知信号を受信すると、ホームサーバ１４に向けて遠隔制御要求を出力する。ホームサーバ１４は、当該要求を受信すると、照明装置１３のオンオフを切り替えるスイッチ信号を生成して照明装置１３に向けて出力する。ここで、スイッチ信号の生成及び出力動作は、照明装置１３の運転状態を切り替える切り替え動作に該当する。かかる意味で、ホームサーバ１４は、在宅期間において制御信号を受信したときに切り替え動作を行う機器に相当すると言える。
【００４１】
以上までに説明してきたように、本実施形態では、コントローラ３から出力される制御信号の出力先に関するモードが上記の３つのモードの間で切り替え自在となっている。このようにコントローラ３が利用目的に応じてモードを切り替えることで、センサユニット１は、複数の利用目的に対応可能となり、優れた汎用性を示すようになる。
【００４２】
ＬＥＤランプ４は、現在設定されているコントローラ３のモードを報知するモード報知機器に相当する。本実施形態では、図３に示すように、モードの種類に応じて色が変わるように複数色のＬＥＤランプ４によってモード報知機器が構成されている。コントローラ３は、現在設定されているモードに対応した色のＬＥＤランプ４が発光するように制御する。これにより、現在設定されているモードがＬＥＤランプ４の発光色により報知されるので、居住者は、現在設定のモードを正確に把握することが可能となる。なお、本実施形態において、複数のＬＥＤランプ４は、ケーシング６の表面に設けられた孔６ｃから一部（発光箇所）が露出するようにケーシング６内に収容されている。
【００４３】
操作ボタン５は、操作部に相当し、コントローラ３のモードを切り替える際に居住者によって操作されるものである。この操作ボタン５は、ケーシング６の表面に取り付けられている。なお、本実施形態では、図３に示すように複数の操作ボタン５によって操作部が構成されている。居住者は、モードの切り替えを希望する際にカバープレート２５を外して、希望するモードに対応する操作ボタン５を押す操作を行う。かかる操作を受け付けた操作ボタン５（厳密には、実際に押された操作ボタン５）からは、モード切り替え用の信号（切り替え信号）が出力される。コントローラ３は、当該切り替え信号を受信すると、前述した３つのモード中、受信した前記切り替え信号に対応するモードを採用するようになる。
【００４４】
なお、誤操作によりモードが意図せずに切り換わるのを防止するために、モード切り替え操作を無効化するロックを設定し、真にモードを切り替える場合には当該ロックを解除するような構成であることが望ましい。かかる構成において、ロック解除操作を操作ボタン５にて受け付けることとしてもよい。
【００４５】
ケーシング６は、箱状体であり、人感センサ２、コントローラ３、ＬＥＤランプ４及びブザー７を収容している。また、ケーシング６の表面には操作ボタン５が取り付けられている。このように本実施形態に係るセンサユニット１では、人感センサ２と、人感センサ２の検知結果に応じて制御信号を出力するコントローラ３と、制御信号を受信して作動する機器（具体的にはブザー７）と、その他の付帯機器（具体的にはＬＥＤランプ４や操作ボタン５）が同一のケーシング６に収容され、若しくは取り付けられている。これにより、上記の機器を別々に配置する必要がなくなるので、本実施形態では、その分、設置作業の手間と設置スペースが削減されることになる。
【００４６】
（センサユニットの取り付け）
次に、本実施形態に係るセンサユニット１の取り付けについて説明する。
本実施形態に係るセンサユニット１は、前述したように、住宅内の壁に埋め込まれた状態で使用される。より詳しく説明すると、本実施形態のセンサユニット１は、通常の住宅において壁に埋め込まれた状態で配置されるコンセントボックス２０内にセットされる。コンセントボックス２０とは、配線機器の一例であるコンセントを収容するボックスとして市販されているものである。なお、本発明において、配線機器とは、電線（具体的には一般家庭用の電線、すなわちＡＣ１００Ｖ用の電線）及びＬＡＮケーブルのうちの少なくとも一方が接続される機器を意味する。ちなみに、本実施形態では、内部空間に電線とＬＡＮケーブルの双方が引き込める形式のコンセントボックス２０が用いられている。
【００４７】
以上のように本実施形態に係るセンサユニット１を取り付けるには、その構成要素（すなわち、人感センサ２、コントローラ３、ＬＥＤランプ４、操作ボタン５及びブザー７）が取り付けられたケーシング６を汎用的なコンセントボックス２０に収めればよいことになる。このため、センサユニット１を設置するにあたり、特別な作業（工事）を要することなく、その分、作業の手間が軽減されることとなる。
【００４８】
（センサユニットの動作例）
次に、本実施形態に係るセンサユニット１の動作例を図５乃至７を参照しながら説明する。図５は、防犯モード設定時の流れを、図６は、見守りモード設定時の流れを、図７は、遠隔制御モード設定時の流れを、それぞれ示している。以下、各モード別に説明することとする。
【００４９】
＜＜防犯モード＞＞
防犯モードが設定されると、コントローラ３が図５に図示した各ステップを実行する。具体的に説明すると、居住者がセンサユニット１の操作ボタン５を操作することで防犯モードが設定されることで（Ｓ００１）、先ず、コントローラ３が、人感センサ２による不審者の侵入の監視（以下、警戒とも言う）を開始するまでのカウントダウンを開始する（Ｓ００２）。このカウントダウンにおいて予め設定された待機時間が経過すると（すなわち、カウントが０に達すると）、警戒が開始されるようになる（Ｓ００３）。居住者は、待機時間が経過するまでの間に人感センサ２の検知範囲Ｒに入らない位置まで移動し、例えば住宅外に出る。なお、警戒開始までの待機時間については、任意に設定することが可能であり、例えば操作ボタン５を操作することによって設定することが可能である。
【００５０】
そして、警戒実行中に人感センサ２がその検知範囲Ｒにおいて人を検知すると（Ｓ００４）、コントローラ３が、制御信号を出力するまでのカウントダウンを開始する（Ｓ００５）。このカウントダウンにおいて予め設定された待機時間が経過すると（すなわち、カウントが０に達すると）、コントローラ３は、制御信号を生成してブザー７やメールサーバ１０に向けて出力する（Ｓ００６）。なお、制御信号を出力するまでの待機時間については、任意に設定することが可能である。
【００５１】
制御信号を受信したブザー７及びメールサーバ１０は、それぞれ報知動作を実行し、具体的には、ブザー７が警報（警報音）を発し、メールサーバ１０が不審者の侵入を知らせる通報メールを所定のメールアドレス宛てに配信する。
【００５２】
＜＜見守りモード＞＞
見守りモードが設定されると、コントローラ３が図６に図示した各ステップを実行する。具体的に説明すると、居住者がセンサユニット１の操作ボタン５を操作することで見守りモードが設定された段階で（Ｓ０１１）、コントローラ３は、待機状態で人感センサ２からの検知信号を待つ。そして、一定時間以上検知信号を受信しなかった場合（Ｓ０１２）、コントローラ３は、メールデータを生成し、メールサーバ１０に向けて送信する（Ｓ０１３）。メールサーバ１０は、当該メールデータを受信すると、同データに基づいて居住者に異常が生じたことを知らせる連絡メールを、外部者の情報端末１２に向けて配信する。なお、メールデータの生成・送信を開始する条件となる検知信号不受信の時間については、任意に設定することが可能であり、例えば操作ボタン５を操作することによって設定することが可能である。
【００５３】
一方、見守りモードが設定されている期間中、コントローラ３は、定期処理として、メモリ３ａに記憶された人感センサ２の検知履歴を読み出して、直近の検知時刻を示すメールデータを生成し、メールサーバ１０に向けて出力する（Ｓ０１４、Ｓ０１５）。メールサーバ１０は、当該メールデータを受信すると、同データに基づいて直近の検知時刻を連絡する第２の連絡メールを、外部者の情報端末１２に向けて配信する。なお、直近の検知時刻を示すメールデータの生成・送信を開始する定期処理の実行間隔については、任意に設定することが可能である。
【００５４】
＜＜遠隔制御モード＞＞
遠隔制御モードが設定されると、コントローラ３が図７に図示した各ステップを実行する。具体的に説明すると、居住者がセンサユニット１の操作ボタン５を操作することで遠隔制御モードが設定された段階で（Ｓ０２１）、コントローラ３は、待機状態で人感センサ２からの検知信号を待つ。そして、人感センサ２からの検知信号を受信すると（Ｓ０２２）、コントローラ３は、ホームサーバ１４に向けて遠隔制御要求を出力する（Ｓ０２３）。ホームサーバ１４は、当該要求を受信すると、照明装置１３のオンオフを切り替えるスイッチ信号を生成して照明装置１３に向けて出力し、スイッチ信号を受信した照明装置１３側ではオンオフが切り替わるようになる。
【００５５】
以上までに説明してきたように、居住者の外出期間中には防犯モードが設定され、居住者の在宅期間中には見守りモードや遠隔制御モードが設定され、コントローラ３は、設定されたモードに対応する処理を実行することとなる。そして、本実施形態では、居住者の在宅期間中には見守りモード及び遠隔制御モードの双方を同時に設定することが可能である。換言すると、在宅期間中では、コントローラ３が見守りモード及び遠隔制御モードを同時採用することが可能である。このように２つのモードを同時に設定することが可能とすることで、居住者にとっての利便性がより向上した形となっている。
【００５６】
（その他の実施形態）
上記の実施形態では、本発明のセンサユニットについて、一例を挙げて説明した。ただし、上記の実施形態は、本発明の理解を容易にするための一例に過ぎず、本発明を限定するものではない。すなわち、本発明は、その趣旨を逸脱することなく、変更、改良され得ると共に、本発明にはその等価物が含まれることは勿論である。
【００５７】
また、上記の実施形態では、コントローラ３のモードが防犯モード、見守りモード及び遠隔制御モードの３つの中から設定されることとしたが、これに限定されるものではない。つまり、コントローラ３のモードについては、上記３つのモードのうち、少なくとも２つのモードの間で切り替えられるものとなっていればよい。また、上記３つのモード以外のモードが含まれていることとしてもよい。例えば、住宅に住む複数の居住者のうち、特定の者（例えば子供であり、以下、特定居住者）が帰宅して人感センサ２により検知されたときに、特定居住者が帰宅済みであることをメール等にて他の居住者に連絡するモードが含まれていてもよい。
【００５８】
また、上記の実施形態では、コントローラ３のモードを切り替えるためにセンサユニット１に備えられた操作ボタン５を操作することとしたが、これに限定されるものではない。センサユニット１とは別の機器にてモード切り替え操作を受け付けることとしてもよく、例えば、センサユニット１とＬＡＮケーブルを介して接続されたホームサーバ１４側でモード切り替え操作を受け付け、ＬＡＮ経由で、モード切り替え用の信号をセンサユニット１へ送信することとしてもよい。なお、ホームサーバ１４側でモード切り替え操作を受け付ける場合にも、意図せずに切り換わるのを防止するために誤操作回避措置を設けるのが望ましく、例えば操作受け付けに際して暗証番号やパスワードの入力を求める構成となっているとよい。
【００５９】
さらに、モードの切り替えについては、操作ボタン５やホームサーバ１４にてモード切り替え操作を受け付けた際に行われるケースに限定されず、例えば、玄関錠の施錠に連動して防犯モードが自動的に設定され、玄関錠の解錠に連動して見守りモードや遠隔制御モードが自動的に設定されることとしてもよい。
【００６０】
また、上記の実施形態では、防犯モード設定時に人感センサ２が人を検知した際に不審者の侵入を知らせる目的で警報音を発するブザー７が設けられており、かかるブザー７は、センサユニット１のケーシング６内に収容されていることとした。このように警報発生機器がケーシング６内に収容されてセンサユニット１として一体化されていることで、設置作業の手間と設置スペースをより一層削減することが可能となる。ただし、これに限定されるものではなく、警報発生機器は、センサユニット１から分離されてセンサユニット１とは異なる個所に設定されていることとしてもよく、例えば、住宅内に予め備え付けられている警報器を転用することとしてもよい。かかる構成においては、防犯モード設定時に人感センサ２が人を検知した際にセンサユニット１がホームサーバ１４に制御信号（遠隔制御要求）を出力し、制御信号を受信したホームサーバ１４が上記警報器の運転状態を制御することで、警報器が警報音を発するようにしてもよい。
【００６１】
また、上記の実施形態では、防犯モード設定時に人感センサ２が人を検知した際に不審者の侵入を知らせるための機器として、警告音を発するブザー７を用いることとした。ただし、報知機器についてはブザー７以外の機器を用いることとしてもよく、例えば、宅内の照明装置１３を報知機器として用いてもよい。具体的に説明すると、人感センサ２が人を検知したときにコントローラ３が照明装置１３に向けて直接、あるいはホームサーバ１４を介して制御信号を出力し、当該信号を受信した照明装置１３が点滅することで不審者の侵入を報知することとしてもよい。
【００６２】
また、上記の実施形態では、防犯モード設定時及び見守りモード設定時におけるメールデータの生成及びメールサーバ１０への送信をセンサユニット１が実行することとした。ただし、これに限定されるものではなく、メールデータの生成及びメールサーバ１０への送信をセンサユニット１とは異なる機器（例えば、ホームサーバ１４）が実行することとし、センサユニット１は、当該機器に向けてメールデータの生成・送信の実行要求を送信することとしてもよい。
【００６３】
また、上記の実施形態では、ホームサーバ１４がセンサユニット１からの制御信号（遠隔制御要求）を受信すると、宅内にある室内環境の調整装置である照明装置１３に向けてスイッチ信号を出力することにより、照明装置１３のオンオフを切り替えることとした。ただし、これに限定されるものではなく、照明装置１３に電力を供給する不図示の電源と照明装置１３との間にリレーを設け、センサユニット１がリレー開閉用の制御信号を生成してリレーに向けて出力することとしてもよい。つまり、リレーがセンサユニット１からの制御信号を受信することでその開閉状態が切り替わることで、照明装置１３のオンオフが切り替わることとしてもよい。かかる構成において、上記のリレーは、照明装置１３の運転状態を切り替える切り替え動作を行う機器に相当する。
【００６４】
また、上記の実施形態では、センサユニット１に発光色が異なる複数のＬＥＤランプ４が取り付けられており、現在設定されているコントローラ３のモードに対応したＬＥＤランプ４が発光することとした。これにより、居住者は、発光しているＬＥＤランプ４の色を通じて、現在設定のモードを正確に把握することが可能となる。ただし、現在設定のモードを報知する手段は、ＬＥＤランプ４に限定されるものではなく、音声により報知するものであってもよく、あるいは、現在設定のモードを表記パネル等に表示するものであってもよい。
【００６５】
また、上記の実施形態では、住宅内において人を検知するセンサとして人感センサ２を説明したが、特に人感センサ２に制限されるものではなく、例えば加速度センサにより人を検知することとしてもよい。また、住宅内の所定箇所をカメラで撮像しながらその映像を解析し当該映像中に動体が存在する場合には検知信号を出力するものであってもよい。
【００６６】
また、上記の実施形態では、センサユニット１の前方位置にカバープレート２５を設けることとしたが、カバープレート２５を設けない構成であってもよい。かかる構成であれば、例えば操作ボタン５を操作する際にカバープレート２５を取り外す手間を省略することができ、モード切り替え操作等をより容易に行うことが可能となる。
【符号の説明】
【００６７】
１  センサユニット
２  人感センサ（センサ）、２ａ  検知部
３  コントローラ、３ａ  メモリ
４  ＬＥＤランプ、５  操作ボタン
６  ケーシング、６ａ  ジャック
６ｂ  開口、６ｃ  孔
７  ブザー、１０  メールサーバ
１１，１２  情報端末
１３  照明装置、１４  ホームサーバ
１５  宅内ルータ、２０  コンセントボックス
２５  カバープレート
Ｒ  検知範囲、Ｓ  通信システム
【図１】
2015127860.tif 000003
【図２】
2015127860.tif 000004
【図３】
2015127860.tif 000005
【図４】
2015127860.tif 000006
【図５】
2015127860.tif 000007
【図６】
2015127860.tif 000008
【図７】
2015127860.tif 000009